(57)【要約】【課題】較正処理の開始までの時間を短縮すること。【解決手段】原稿（Ｇｉ）を読み取る読取部材（ＣＣＤ）と、予め設定された白色を読取部材（ＣＣＤ）で読み取った結果に基づいて、明るさのムラを補正するシェーディング処理を行う較正処理手段（Ｃ３）と、電源が投入されていない状態から電源が投入された場合に、読取部材（ＣＣＤ）を予め設定された期間（ｔ１）、加温する加温制御手段（Ｃ２）と、を備えたことを特徴とする画像の読取装置（Ｕ２）。【選択図】図６
2015173348.tif 000002
【特許請求の範囲】
【請求項１】
画像が記録された原稿を読み取る読取部材と、
予め設定された白色を前記読取部材で読み取った結果に基づいて、明るさのムラを補正するシェーディング処理を行う較正処理手段と、
電源が投入されていない状態から電源が投入された場合に、前記読取部材を予め設定された期間、加温する加温制御手段と、
を備えたことを特徴とする画像の読取装置。
【請求項２】
前記読取部材を作動状態にして、前記読取部材を加温する前記加温制御手段、
を備えたことを特徴とする請求項１に記載の画像の読取装置。
【請求項３】
黄色の画像を有する前記画像に基づいて、較正処理を行う前記較正処理手段と、
予め設定された色を透過させる透過部材を介して原稿を読み取る読取素子が、色毎に設けられた前記読取部材であって、青色の透過部材を介して原稿を読み取る読取素子を有する前記読取部材と、
を備えたことを特徴とする請求項１または２に記載の画像の読取装置。
【請求項４】
電源投入時に予め設定された基準部材を読み取る前記読取部材と、
前記基準部材を読み取った読取結果に基づいて、前記読取部材を加温する期間を設定する期間の設定手段と、
を備えたことを特徴とする請求項１ないし３のいずれかに記載の画像の読取装置。
【請求項５】
媒体から画像を読み取る請求項１ないし４のいずれかに記載の画像の読取装置と、
前記画像の読取装置に読み取られた画像に基づいて、媒体に画像を記録する画像の記録部と、
を備えたことを特徴とする画像形成装置。
【発明の詳細な説明】
【技術分野】
【０００１】
本発明は、画像の読取装置及び画像形成装置に関する。
【背景技術】
【０００２】
従来から、画像の記録された媒体、いわゆる、原稿を読み取る画像の読取装置について、以下の特許文献１に記載の技術が知られている。
【０００３】
特許文献１としての特開２０１３−２０７６１４号公報には、予め設定された色較正用の画像が記録された調整用の読取チャートを使用して、撮像素子で読み取って、較正、いわゆるキャリブレーション処理を行う技術が記載されている。
【先行技術文献】
【特許文献】
【０００４】
【特許文献１】特開２０１３−２０７６１４号公報（「００５２」）
【発明の概要】
【発明が解決しようとする課題】
【０００５】
本発明は、較正処理の開始までの時間を短縮することを技術的課題とする。
【課題を解決するための手段】
【０００６】
前記技術的課題を解決するために、請求項１に記載の発明の画像の読取装置は、
画像が記録された原稿を読み取る読取部材と、
予め設定された白色を前記読取部材で読み取った結果に基づいて、明るさのムラを補正するシェーディング処理を行う較正処理手段と、
電源が投入されていない状態から電源が投入された場合に、前記読取部材を予め設定された期間、加温する加温制御手段と、
を備えたことを特徴とする。
【０００７】
請求項２に記載の発明は、請求項１に記載の画像の読取装置において、
前記読取部材を作動状態にして、前記読取部材を加温する前記加温制御手段、
を備えたことを特徴とする。
【０００８】
請求項３に記載の発明は、請求項１または２に記載の画像の読取装置において、
黄色の画像を有する前記画像に基づいて、較正処理を行う前記較正処理手段と、
予め設定された色を透過させる透過部材を介して原稿を読み取る読取素子が、色毎に設けられた前記読取部材であって、青色の透過部材を介して原稿を読み取る読取素子を有する前記読取部材と、
を備えたことを特徴とする。
【０００９】
請求項４に記載の発明は、請求項１ないし３のいずれかに記載の画像の読取装置において、
電源投入時に予め設定された基準部材を読み取る前記読取部材と、
前記基準部材を読み取った読取結果に基づいて、前記読取部材を加温する期間を設定する期間の設定手段と、
を備えたことを特徴とする。
【００１０】
前記技術的課題を解決するために、請求項５に記載の発明の画像形成装置は、
媒体から画像を読み取る請求項１ないし４のいずれかに記載の画像の読取装置と、
前記画像の読取装置に読み取られた画像に基づいて、媒体に画像を記録する画像の記録部と、
を備えたことを特徴とする。
【発明の効果】
【００１１】
請求項１，５に記載の発明によれば、本発明の構成を有しない場合に比べて、較正処理の開始までの時間を短縮することができる。
請求項２に記載の発明によれば、読取部材を作動状態にして加温しない場合に比べて、無理な加温を抑制し、読取部材の寿命の低下を抑制できる。
請求項３に記載の発明によれば、黄色の画像を青色の透過部材で読み取る場合のシェーディング補正が不十分になることを低減できる。
請求項４に記載の発明によれば、加温する期間を設定しない場合に比べて、無駄な加温を抑制できる。
【図面の簡単な説明】
【００１２】
【図１】図１は実施例１の画像形成装置の全体説明図である。
【図２】図２は実施例１の画像形成装置の要部説明図である。
【図３】図３は実施例１の読取部材の説明図である。
【図４】図４は加温時間の設定処理の説明図であり、図４Ａは処理の概略説明図、図４Ｂは電源投入からの経過時間とゲイン値の推移の実験結果の説明図である。
【図５】図５は実施例１の加温処理の説明図である。
【図６】図６はＢ色の撮像素子の読取値の説明図であり、図６ＡはＹ色のパッチ画像を読み取った場合の読取値の説明図、図６ＢはＭ色のパッチ画像を読み取った場合の読取値の説明図、図６ＣはＣ色のパッチ画像を読み取った場合の読取値の説明図、図６Ｄは白色の紙を読み取った場合の読取値の説明図、図６Ｅは白色に基づいてシェーディング補正をした後のＹ色の画像の読取値の説明図、図６Ｆは白色に基づいてシェーディング補正をした後のＭ色の画像の読取値の説明図、図６Ｇは白色に基づいてシェーディング補正をした後のＣ色の画像の読取値の説明図、図６Ｈは白色に基づいてシェーディング補正をした後の白色の画像の読取値の説明図である。
【図７】図７はＢ色の撮像素子の反射率特性の実験結果の説明図であり、横軸に波長を取り縦軸に反射率を取ったグラフである。
【図８】図８は図６の実験結果をまとめた表であり、電源投入時と６０分経過後でのＢ色の撮像素子の読み値の変化率の説明図である。
【図９】図９は横軸に温度を取り縦軸にＹパッチの読み値を取った撮像素子の温度変化の説明図であり、図９Ａは実施例１の構成における温度変化の説明図、図９Ｂは従来の構成における温度変化の説明図である。
【図１０】図１０は図９の個体１の実施例の構成における温度変化と、従来の構成における温度変化の説明図である。
【発明を実施するための形態】
【００１３】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１４】
図１は実施例１の画像形成装置の全体説明図である。
図２は実施例１の画像形成装置の要部説明図である。
図１において、本発明の実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵＩが支持されている。前記ユーザインタフェースＵＩは、操作者が入力をして、複写機Ｕの操作が可能である。
【００１５】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００１６】
スキャナ部Ｕ２の上面には、透明な原稿台の一例としてのプラテンガラスＰＧが配置されている。実施例１のスキャナ部Ｕ２には、プラテンガラスＰＧの下方に、読取り用の光学系Ａが配置されている。実施例１の読取り用の光学系Ａは、プラテンガラスＰＧの下面に沿って、左右方向に移動可能に支持されている。なお、読取り用の光学系Ａは、通常時は、図１に示す初期位置に停止している。
読取り用の光学系Ａの左方には、読取部材の一例としての撮像部材ＣＣＤが配置されている。撮像部材ＣＣＤには、画像処理部ＩＰＳが電気的に接続されている。
【００１７】
画像処理部ＩＰＳは、プリンタ部Ｕ１の書込回路ＤＬに電気的に接続されている。書込回路ＤＬは、潜像の形成装置の一例であって、露光装置の一例としてのＬＥＤヘッドＬＨｙ，ＬＨｍ，ＬＨｃ，ＬＨｋに電気的に接続されている。
実施例１のＬＥＤヘッドＬＨｙ，ＬＨｍ，ＬＨｃ，ＬＨｋは、Ｙ，Ｍ，Ｃ，Ｋの各色に対応して配置されている。なお、実施例１のＬＥＤヘッドＬＨｙ〜ＬＨｋは、発光素子の一例としてのＬＥＤが画像の幅方向に沿って線状に配列されたＬＥＤアレイにより構成されている。ＬＥＤヘッドＬＨｙ〜ＬＨｋは、入力された信号に応じて、ＬＥＤが発光可能に構成されている。すなわち、ＬＥＤヘッドＬＨｙ〜ＬＨｋは、入力された信号に応じた書込光を出力可能に構成されている。
【００１８】
図１において、各ＬＥＤヘッドＬＨｙ〜ＬＨｋの上方には、像保持体の一例としての感光体ＰＲｙ，ＰＲｍ，ＰＲｃ，ＰＲｋが配置されている。各感光体ＰＲｙ〜ＰＲｋと各ＬＥＤヘッドＬＨｙ〜ＬＨｋとが対向する領域により、書込領域Ｑ１ｙ，Ｑ１ｍ，Ｑ１ｃ，Ｑ１ｋが構成されている。
各感光体ＰＲｙ，ＰＲｍ，ＰＲｃ，ＰＲｋの回転方向に対して、ＬＥＤヘッドＬＨｙ〜ＬＨｋの上流側には、帯電器の一例としての帯電ロールＣＲｙ，ＣＲｍ，ＣＲｃ，ＣＲｋが配置されている。実施例１の帯電ロールＣＲｙ〜ＣＲｋは、感光体ＰＲｙ〜ＰＲｋに接触して従動回転可能に支持されている。
感光体ＰＲｙ〜ＰＲｋの回転方向に対して、ＬＥＤヘッドＬＨｙ〜ＬＨｋの下流側には、現像装置Ｇｙ，Ｇｍ，Ｇｃ，Ｇｋが配置されている。各感光体ＰＲｙ〜ＰＲｋと各現像装置Ｇｙ〜Ｇｋとが対向する領域により、現像領域Ｑ２ｙ，Ｑ２ｍ，Ｑ２ｃ，Ｑ２ｋが構成されている。
【００１９】
感光体ＰＲｙ〜ＰＲｋの回転方向に対して、現像装置Ｇｙ〜Ｇｋの下流側には、１次転写器の一例としての１次転写ロールＴ１ｙ，Ｔ１ｍ，Ｔ１ｃ，Ｔ１ｋが配置されている。各感光体ＰＲｙ〜ＰＲｋと各１次転写ロールＴ１ｙ〜Ｔ１ｋとが対向する領域により、１次転写領域Ｑ３ｙ，Ｑ３ｍ，Ｑ３ｃ，Ｑ３ｋが構成されている。
感光体ＰＲｙ〜ＰＲｋの回転方向に対して、１次転写ロールＴ１ｙ〜Ｔ１ｋの下流側には、像保持体の清掃器の一例としての感光体クリーナＣＬｙ，ＣＬｍ，ＣＬｃ，ＣＬｋが配置されている。
【００２０】
前記Ｙ色の感光体ＰＲｙ、帯電ロールＣＲｙ、ＬＥＤヘッドＬＨｙ、現像装置Ｇｙ、１次転写ロールＴ１ｙ、感光体クリーナＣＬｙにより、可視像の一例としてのトナー像を形成する実施例１のＹ色の可視像の形成装置の一例としてのＹ色の作像部Ｕｙが構成されている。同様に、各感光体ＰＲｍ，ＰＲｃ，ＰＲｋ、帯電ロールＣＲｍ，ＣＲｃ，ＣＲｋ、ＬＥＤヘッドＬＨｍ，ＬＨｃ，ＬＨｋ、現像装置Ｇｍ，Ｇｃ，Ｇｋ、１次転写ロールＴ１ｍ，Ｔ１ｃ，Ｔ１ｋ、感光体クリーナＣＬｍ，ＣＬｃ，ＣＬｋにより、前記Ｍ，Ｃ，Ｋ色の作像部Ｕｍ，Ｕｃ，Ｕｋが構成されている。
【００２１】
前記感光体ＰＲｙ〜ＰＲｋの上方には、中間転写装置の一例としてのベルトモジュールＢＭが配置されている。ベルトモジュールＢＭは、像保持体の一例であって、中間転写体の一例としての中間転写ベルトＢを有する。中間転写ベルトＢは、無端帯状の部材により構成されている。
実施例１の中間転写ベルトＢは、駆動部材の一例としてのベルト駆動ロールＲｄと、張架部材の一例としてのテンションロールＲｔと、片寄りを補正する部材の一例としてのウォーキングロールＲｗと、従動部材の一例としてのアイドラロールＲｆと、２次転写領域の対向部材の一例としてのバックアップロールＴ２ａと、１次転写ロールＴ１ｙ，Ｔ１ｍ，Ｔ１ｃ，Ｔ１ｋと、により回転可能に支持されている。
【００２２】
前記中間転写ベルトＢを挟んでバックアップロールＴ２ａに対向する位置には、２次転写部材の一例としての２次転写ロールＴ２ｂが配置されている。実施例１では、バックアップロールＴ２ａは接地され、２次転写ロールＴ２ｂには電源回路Ｅからトナーの帯電極性と逆極性の２次転写電圧が印加される。バックアップロールＴ２ａおよび２次転写ロールＴ２ｂにより、実施例１の２次転写器Ｔ２が構成されている。また、２次転写ロールＴ２ｂと中間転写ベルトＢとが接触する領域により２次転写領域Ｑ４が構成されている。
中間転写ベルトＢの回転方向に対して、２次転写領域Ｑ４の下流側には、中間転写体の清掃器の一例として、ベルトクリーナＣＬｂが配置されている。
前記１次転写ロールＴ１ｙ〜Ｔ１ｋ、中間転写ベルトＢおよび２次転写器Ｔ２等により、実施例１の転写装置Ｔ１＋Ｔ２＋Ｂが構成されている。また、作像部Ｕｙ〜Ｕｋおよび転写装置Ｔ１＋Ｔ２＋Ｂとにより、実施例１の画像の記録部Ｕｙ〜Ｕｋ＋Ｔ１＋Ｔ２＋Ｂが構成されている。
【００２３】
図１において、作像部Ｕｙ〜Ｕｋの下方には、案内部材の一例としての左右一対のガイドレールＧＲが３段設けられている。各ガイドレールＧＲには、媒体の収容部の一例としての給紙トレイＴＲ１〜ＴＲ３が前後方向に出入可能に支持されている。給紙トレイＴＲ１〜ＴＲ３には、媒体の一例としての記録シートＳが収容される。
給紙トレイＴＲ１〜ＴＲ３の右上方には、取出部材の一例としてのピックアップロールＲｐが配置されている。記録シートＳの搬送方向に対して、ピックアップロールＲｐの下流側には、捌き部材の一例としての捌きロールＲｓが配置されている。記録シートＳの搬送方向に対して、捌きロールＲｓの下流側には、媒体の搬送路の一例として、上方に延びる給紙路ＳＨ１が形成されている。給紙路ＳＨ１には、搬送部材の一例としての複数の搬送ロールＲａが配置されている。
【００２４】
給紙路ＳＨ１には、２次転写領域Ｑ４の上流側に、搬送時期の調節部材の一例としてのレジロールＲｒが配置されている。
シートＳの搬送方向に対して、２次転写領域Ｑ４の下流側には、定着装置Ｆが配置されている。定着装置Ｆは、加熱用の定着部材の一例としての加熱ロールＦｈと、加圧用の定着部材の一例としての加圧ロールＦｐと、を有する。加熱ロールＦｈと加圧ロールＦｐとの接触領域により定着領域Ｑ５が構成されている。
定着装置Ｆの上方には、搬送路の一例としての排紙路ＳＨ２が配置されている。プリンタ部Ｕ１の上面には、媒体の排出部の一例としての排紙トレイＴＲｈが形成されている。排紙路ＳＨ２は、排紙トレイＴＲｈに向けて延びる。排紙路ＳＨ２の下流端には、媒体の搬送部材の一例としての排紙ロールＲｈが配置されている。
【００２５】
（画像形成動作の説明）
前記構成を備えた実施例１の複写機Ｕでは、複写動作が開始されると、原稿トレイＴＧ１に収容された複数の原稿Ｇｉは、プラテンガラスＰＧ上の原稿の読み取り位置を順次通過して、原稿排紙トレイＴＧ２に排出される。
前記オートフィーダＵ３を使用して自動的に原稿を搬送して複写を行う場合は、読取り用の光学系Ａは初期位置に停止した状態で、プラテンガラスＰＧ上の読み取り位置を順次通過する各原稿Ｇｉが露光される。原稿Ｇｉを作業者が手でプラテンガラスＰＧ上に置いて複写を行う場合、読取り用の光学系Ａが左右方向に移動して、プラテンガラスＰＧ上の原稿が、露光されながら走査される。
原稿Ｇｉからの反射光は、光学系Ａを通って、撮像部材ＣＣＤに集光される。前記撮像部材ＣＣＤは、撮像面に集光された原稿Ｇｉの反射光を電気信号に変換する。
【００２６】
画像処理部ＩＰＳは、撮像部材ＣＣＤから出力された電気信号が入力される。画像処理部ＩＰＳは、撮像部材ＣＣＤが読み取ったＲ，Ｇ，Ｂの色の画像の電気信号を、潜像形成用のイエローＹ、マゼンタＭ、シアンＣ、黒Ｋの画像情報に変換する。画像処理部ＩＰＳは、変換後の画像情報をプリンタ部Ｕ１の書込回路ＤＬに出力する。なお、画像処理部ＩＰＳは、画像が単色画像、いわゆる、モノクロの場合は、黒Ｋのみの画像情報を書込回路ＤＬに出力する。
書込回路ＤＬは、入力された画像情報に応じた制御信号を、ＬＥＤヘッドＬＨｙ〜ＬＨｋに出力する。ＬＥＤヘッドＬＨｙ〜ＬＨｋは、制御信号に応じた書込光を出力する。
【００２７】
各感光体ＰＲｙ〜ＰＲｋは、画像形成が開始されると回転駆動する。帯電ロールＣＲｙ〜ＣＲｋには、電源回路Ｅから帯電電圧が印加される。したがって、感光体ＰＲｙ〜ＰＲｋの表面は、帯電ロールＣＲｙ〜ＣＲｋにより帯電される。帯電された感光体ＰＲｙ〜ＰＲｋは、書込領域Ｑ１ｙ〜Ｑ１ｋにおいて、ＬＥＤヘッドＬＨｙ〜ＬＨｋからの書込光により、表面に静電潜像が形成される。感光体ＰＲｙ〜ＰＲｋの静電潜像は、現像領域Ｑ２ｙ〜Ｑ２ｋにおいて、現像装置Ｇｙ，Ｇｍ，Ｇｃ，Ｇｋにより可視像の一例としてのトナー像に現像される。
【００２８】
現像されたトナー像は、中間転写ベルトＢに接触する１次転写領域Ｑ３ｙ，Ｑ３ｍ，Ｑ３ｃ，Ｑ３ｋに搬送される。１次転写領域Ｑ３ｙ，Ｑ３ｍ，Ｑ３ｃ，Ｑ３ｋにおいて、１次転写ロールＴ１ｙ〜Ｔ１ｋには、電源回路Ｅからトナーの帯電極性と逆極性の１次転写電圧が印加される。したがって、各感光体ＰＲｙ〜ＰＲｋ上のトナー像は、１次転写ロールＴ１ｙ〜Ｔ１ｋにより、中間転写ベルトＢに転写される。なお、多色のトナー像の場合、上流側の１次転写領域で中間転写ベルトＢに転写されたトナー像に重ねて、下流側のトナー像が転写される。
１次転写後の感光体ＰＲｙ〜ＰＲｋの残留物、付着物は、感光体クリーナＣＬｙ〜ＣＬｋにより清掃される。清掃された感光体ＰＲｙ〜ＰＲｋ表面は、帯電ロールＣＲｙ〜ＣＲｋにより再帯電される。
１次転写領域Ｑ３ｙ〜Ｑ３ｋで１次転写ロールＴ１ｙ〜Ｔ１ｋにより中間転写ベルトＢ上に転写された単色または多色のトナー像は、２次転写領域Ｑ４に搬送される。
【００２９】
画像が記録されるシートＳは、使用される給紙トレイＴＲ１〜ＴＲ３のピックアップロールＲｐにより、取り出される。ピックアップロールＲｐで取り出されたシートＳは、複数枚のシートＳが重ねて取り出された場合、捌きロールＲｓにより１枚ずつに分離される。捌きロールＲｓで分離されたシートＳは、搬送ロールＲａにより給紙路ＳＨ１を搬送される。給紙路ＳＨ１を搬送されたシートＳは、レジロールＲｒに送られる。
レジロールＲｒは、中間転写ベルトＢに形成されたトナー像が２次転写領域Ｑ４に搬送される時期を合わせて、シートＳを２次転写領域Ｑ４に搬送する。２次転写ロールＴ２ｂには、電源回路Ｅによりトナーの帯電極性と逆極性の２次転写電圧が印加される。したがって、中間転写ベルトＢ上のトナー像は、中間転写ベルトＢからシートＳに転写される。
【００３０】
２次転写後の前記中間転写ベルトＢは、表面に付着した付着物等がベルトクリーナＣＬｂにより清掃される。
前記トナー像が２次転写された記録シートＳは、定着領域Ｑ５を通過する際に加熱定着される。
画像が定着された記録シートＳは、排紙路ＳＨ２を搬送される。排紙路ＳＨ２を搬送されたシートＳは、排紙ロールＲｈにより排紙トレイＴＲｈに排出される。
【００３１】
（読取部材の説明）
図３は実施例１の読取部材の説明図である。
図３において、実施例１の撮像部材ＣＣＤは、原稿Ｇｉの画像の赤色の成分を読み取る読取素子１と、原稿Ｇｉの画像の緑色の成分を読み取る読取素子２と、原稿Ｇｉの画像の青色の成分を読み取る読取素子３とを有する。赤色の読取素子１は、Ｒ：赤色の光を透過させる透過部材の一例としての赤フィルタ１ａを介して、原稿Ｇｉの画像を読み取る。緑色の読取素子２は、Ｇ：緑色の光を透過させる透過部材の一例としての緑フィルタ２ａを介して、原稿Ｇｉの画像を読み取る。青色の読取素子３は、Ｂ：青色の光を透過させる透過部材の一例としての青フィルタ３ａを介して、原稿Ｇｉの画像を読み取る。
【００３２】
実施例１の撮像部材ＣＣＤには、駆動回路６から電源供給や制御信号が入力される。実施例１では、複写機Ｕに電源が投入されていない状態や、省電力状態、いわゆる省エネモードやスリープモードの場合には、撮像部材ＣＣＤに給電が行われない。また、撮像部材ＣＣＤは、読取動作等が行われる作動時には、駆動電圧Ｖ１が供給される。そして、省電力状態でもなく読取動作も行われていない状態、いわゆるスタンバイ状態、待機状態では、撮像部材ＣＣＤには待機電圧Ｖ２が供給される。実施例１では、一例として、駆動電圧Ｖ１が１０［Ｖ］に設定され、待機電圧Ｖ２が７［Ｖ］に設定されている。
なお、実施例１では、原稿の搬送路Ｕ３ａに、図示しない基準部材の一例としての白基準板が配置されている。白基準板の表面は、予め設定された濃度の白色で構成されている。
【００３３】
（制御部Ｃの説明）
図３において、実施例１の撮像部材ＣＣＤは、複写機Ｕの制御部Ｃとの間で信号の送受信を行っている。実施例１の制御部Ｃは、小型情報処理装置、いわゆるマイクロコンピュータにより構成されており、外部との信号の入出力、および、入出力信号レベルの調節等を行うＩ／Ｏ、必要な処理を実行するためのプログラム、および、データ等が記憶されたＲＯＭ、必要なデータを一時的に記憶するためのＲＡＭや、ＨＤＤ、前記ＲＯＭや、前記ＨＤＤに記憶されたプログラムに応じた処理を行うＣＰＵ、ならびにクロック発振器等を有する計算機の一例としてのコンピュータにより構成されており、前記ＲＯＭに記憶されたプログラムを実行することにより種々の機能を実現することができる。
【００３４】
制御部Ｃは、次の機能手段Ｃ１〜Ｃ３を有している。
読取部材の駆動制御手段の一例としてのＣＣＤの駆動制御手段Ｃ１は、読取時の制御手段Ｃ１ａと、待機時の制御手段Ｃ１ｂと、を有し、駆動回路６を介して、撮像部材ＣＣＤの制御を行う。なお、ＣＣＤの駆動制御手段Ｃ１は、電源オフ時は当然として、省電力状態でも撮像部材ＣＣＤに給電を停止する。
読取時の制御手段Ｃ１ａは、原稿Ｇｉの読み取りが行われる場合に、撮像部材ＣＣＤに対して、駆動電圧Ｖ１を供給する。
待機時の制御手段Ｃ１ｂは、原稿Ｇｉの読み取りが行われていない待機時に、撮像部材ＣＣＤに対して、待機電圧Ｖ２を供給する。
【００３５】
読取部材の加温制御手段の一例としてのＣＣＤの加温制御手段Ｃ２は、加温時間の設定手段Ｃ２ａと、加温時間の計時手段Ｃ２ｂとを有する。実施例１のＣＣＤの加温制御手段Ｃ２は、電源が投入されていない状態から電源が投入された場合に、撮像部材ＣＣＤを予め設定された期間ｔ１、作動状態にして、撮像部材ＣＣＤを温める。実施例１のＣＣＤの加温制御手段Ｃ２は、電源が投入された場合に加えて、省電力状態から復帰した場合にも、加温期間ｔ１の間、撮像部材ＣＣＤを作動状態にして、撮像部材ＣＣＤの原稿Ｇｉの読取結果が安定する温度まで撮像部材ＣＣＤを温める。具体的には、実施例１のＣＣＤの加温制御手段Ｃ２は、電源投入時または省電力状態からの復帰時に、加温期間ｔ１の間、撮像部材ＣＣＤに駆動電圧Ｖ１を供給する。
【００３６】
図４は加温時間の設定処理の説明図であり、図４Ａは処理の概略説明図、図４Ｂは電源投入からの経過時間とゲイン値の推移の実験結果の説明図である。
期間の設定手段の一例としての加温時間の設定手段Ｃ２ａは、白色基準板を読み取った読取結果に基づいて、撮像部材ＣＣＤを作動状態にする加温期間ｔ１を設定する。実施例１の加温時間の設定手段Ｃ２ａは、電源投入または省電力状態からの復帰時に、撮像部材ＣＣＤにより、白色基準板の読取結果に基づいて、加温時間ｔ１を設定する。具体的には、電源投入時等の白色基準板を撮像部材ＣＣＤで読み取ったアナログデータの読み値は、Ａ／Ｄコンバータ：アナログ／デジタル変換器を使用して変換する際に、デジタルデータの一定出力値となるように、ゲインが設定される。図４に示すように、撮像部材ＣＣＤに待機電圧Ｖ２のみを供給した状態で、撮像部材ＣＣＤの温度が徐々に上昇していくことにつれて、このゲイン値が上昇していくことが、実験により確認された。
【００３７】
よって、Ａ／Ｄ変換の際に設定されたゲイン値と、予め測定された撮像部材ＣＣＤが安定した状態におけるゲイン値と比較することで、加温時間の設定手段Ｃ２ａは、撮像部材ＣＣＤが安定するまでに必要な時間ｔ１を設定する。実施例１では、比較的撮像部材ＣＣＤの読み取りが安定する３０分経過時のゲイン値（＝１．７７）と、Ａ／Ｄ変換時に設定されたゲイン値とを比較することで、加温時間ｔ１を設定する。一例として、０分の場合のゲイン値＝１．７２の場合に、加温時間ｔ１が最大値の５［分］となるように、Ａ／Ｄ変換時に設定されたゲイン値をｘとした場合に、以下の式（１）で導出する。
ｔ１＝−１００×ｘ＋１７７  …式（１）
【００３８】
なお、加温時間ｔ１は、実施例１のようにゲイン値に基づいて設定する構成に限定されない。例えば、撮像部材ＣＣＤの温度を温度センサ等で測定して、加温時間ｔ１を設定する構成とすることも可能である。また、加温時間ｔ１は、可変の数値に限定されず、固定の時間、例えば、５分に設定することも可能である。
加温時間の計時手段Ｃ２ｂは、加温時間ｔ１の計時を行う。加温時間の計時手段、すなわち、タイマＴＭ１は、電源投入時または省電力状態からの復帰時に加温時間ｔ１の計時を開始する。
【００３９】
較正処理手段の一例としてのキャリブレーション処理手段Ｃ３は、シェーディング処理手段Ｃ３ａを有し、予め設定された較正用原稿の一例としてのキャリブレーションチャートを、撮像部材ＣＣＤで読み取った結果に基づいて、較正処理の一例としてのキャリブレーション処理を実行する。実施例１のキャリブレーション処理手段Ｃ３は、キャリブレーション処理が開始される入力がされると、予め設定された複数の色の画像、いわゆるパッチ画像を有する較正用の画像の一例としてのキャリブレーション画像が記録されたキャリブレーションチャートが印刷される。そして、キャリブレーションチャートを、作業者がプラテンガラスＰＧに乗せるまたはオートフィーダＵ３にセットして、キャリブレーションチャートを撮像部材ＣＣＤで読み取る。そして、キャリブレーションチャートに記録された濃度や位置が予め設定された画像と、実際に読み取られた濃度等とのズレに基づいて、画像処理を行う際の各数値の較正を行う。なお、実施例１のキャリブレーションチャートは、Ｙ，Ｍ，Ｃ，Ｋの各色について、予め設定された複数の濃度のパッチ画像を有する。
【００４０】
明るさ補正手段の一例としてのシェーディング処理手段Ｃ３ａは、各撮像素子１〜３の輝度、明るさのムラを一様な明るさとなるように補正を行うシェーディング処理を行う。実施例１のシェーディング処理手段Ｃ３ａは、白色基準板を各撮像素子１〜３で読み取って、読取結果に基づいて、各撮像素子１〜３の明るさのムラが一様になるように補正をする。
なお、シェーディング処理やキャリブレーション処理は、従来公知であるため、詳細な説明は省略する。
【００４１】
（実施例１の流れ図の説明）
次に、実施例１の複写機Ｕにおける制御の流れを流れ図、いわゆるフローチャートを使用して説明する。
【００４２】
（加温処理のフローチャートの説明）
図５は実施例１の加温処理の説明図である。
図５のフローチャートの各ステップＳＴの処理は、複写機Ｕの制御部Ｃに記憶されたプログラムに従って行われる。また、この処理は複写機Ｕの他の各種処理と並行して実行される。なお、読取処理が開始された場合に、読取部材ＣＣＤに駆動電圧Ｖ１を供給し、読取処理が終了した場合に待機電圧Ｖ２を供給する処理や、何も入力や処理がされない状況で、予め設定された時間が経過した場合に、省電力状態に移行させる処理については、簡単のため、省略する。
図５に示すフローチャートは、複写機Ｕへの電源投入または省電力状態から復帰した場合に開始される。
図５のＳＴ１において、白色基準板を読取部材ＣＣＤで読み取る。そして、ＳＴ２に進む。
ＳＴ２において、Ａ／Ｄ変換を行ってゲイン値を演算する。そして、ＳＴ３に進む。
ＳＴ３において、ゲイン値に基づいて、加温時間ｔ１を設定する。そして、ＳＴ４に進む。
ＳＴ４において、次の処理（１）、（２）を実行し、ＳＴ５に進む。
（１）撮像部材ＣＣＤを作動させる。すなわち、撮像部材ＣＣＤに駆動電圧Ｖ１を供給する。
（２）加温時間ｔ１を計時手段ＴＭ１にセットする。
【００４３】
ＳＴ５において、計時手段ＴＭ１がタイムアップしたか否かを判別する。すなわち、加温時間ｔ１が経過したか否かを判別する。イエス（Ｙ）の場合はＳＴ６に進み、ノー（Ｎ）の場合はＳＴ５を繰り返す。
ＳＴ６において、撮像部材ＣＣＤを待機状態に移行させる。すなわち、撮像部材ＣＣＤに、待機電圧Ｖ２を供給する。そして、ＳＴ７に進む。
ＳＴ７において、省電力状態に移行したか否かを判別する。イエス（Ｙ）の場合はＳＴ８に進み、ノー（Ｎ）の場合はＳＴ７を繰り返す。
ＳＴ８において、撮像部材ＣＣＤの作動を停止させる。すなわち、撮像部材ＣＣＤへの電圧供給を停止する。そして、加温処理を終了する。
【００４４】
（画像の読取装置の作用）
前記構成を備えた実施例１のスキャナ部Ｕ２では、電源投入時や省電力状態からの復帰時に、読取部材ＣＣＤが加温時間ｔ１の間、駆動電圧Ｖ１が供給される。よって、読取部材ＣＣＤが通電された状態で保持されて、温度が上昇する。したがって、電源投入後には、待機電圧Ｖ２が供給されていた従来の構成に比べて、読取部材ＣＣＤが速やかに昇温する。よって、読取部材ＣＣＤの読取結果が安定する。したがって、従来に比べて、較正処理を速やかに開始することが可能となり、較正処理、いわゆるキャリブレーション処理の開始までの時間を短縮することが可能である。
【００４５】
図６はＢ色の撮像素子の読取値の説明図であり、図６ＡはＹ色のパッチ画像を読み取った場合の読取値の説明図、図６ＢはＭ色のパッチ画像を読み取った場合の読取値の説明図、図６ＣはＣ色のパッチ画像を読み取った場合の読取値の説明図、図６Ｄは白色の紙を読み取った場合の読取値の説明図、図６Ｅは白色に基づいてシェーディング補正をした後のＹ色の画像の読取値の説明図、図６Ｆは白色に基づいてシェーディング補正をした後のＭ色の画像の読取値の説明図、図６Ｇは白色に基づいてシェーディング補正をした後のＣ色の画像の読取値の説明図、図６Ｈは白色に基づいてシェーディング補正をした後の白色の画像の読取値の説明図である。
なお、図６では、横軸に電源投入からの時間を取り、縦軸に値の大きさ、すなわち明るさを取っている。なお、図６は、Ｂ色の撮像素子３に、待機電圧Ｖ２を供給し続け、徐々に昇温していった状態で、５分ごとに測定を行った結果である。なお、測定を行うときだけは駆動電圧Ｖ１を供給した。
図７はＢ色の撮像素子の反射率特性の実験結果の説明図であり、横軸に波長を取り縦軸に反射率を取ったグラフである。
なお、図７は、ＣＣＤの感度に関しては電源投入時（経過時間０分）に測定を行った結果である。
図８は図６の実験結果をまとめた表であり、電源投入時と６０分経過後でのＢ色の撮像素子の読み値の変化率の説明図である。
【００４６】
図６において、シェーディング補正では、白色の基準板を使用して明るさが一様になるように補正される。このとき、図６Ａに示すように、Ｙ色の画像（Ｙパッチ）に対しては、シェーディング補正前のＢ色の撮像素子３は、読取値が低く、撮像素子３の温度変化に対する影響を受けにくいことがわかる。これは、図７に示すように、４５０ｎｍ近傍のＢ色の感度全域において、Ｙパッチの反射率が低いことからもわかる。一方で、図７に示すように、白色の紙は、Ｂ色の感度全域（４５０ｎｍ近傍）で高い反射率を持ち、ＣＣＤ感度の変化の影響を受けやすい。よって、図６Ｄに示すように、ＣＣＤの温度に伴う読取値の変化が発生する。従来から行われているシェーディング補正では、図６Ｄに示す白色に基づいて、図６Ｈに示すように撮像素子３の出力値が補正される。
【００４７】
しかしながら、図６Ｈに示すように補正が行われると、図６Ａに示すように感度が低かったＹパッチの読取出力が、シェーディング補正後には、図６Ｅに示すように白色の読取値の変化を大きく受けた値に補正されてしまう。よって、図８に示すように、仮に、電源投入直後にシェーディング補正を行った場合に、６０分経過して、撮像素子３の感度が安定した状態では、Ｙパッチのシェーディング補正後の出力値が、他の色の場合に比べて大きくずれてしまう。すなわち、結果として、Ｙパッチに対しては、Ｂ色の撮像素子３について、シェーディング補正が不十分な状態となってしまっていた。
【００４８】
よって、電源投入直後にシェーディング補正を含む高精度のキャリブレーション補正を行うと、補正が不十分となり、読取精度が低下する問題があった。したがって、従来技術では、シェーディング補正を含む高精度のキャリブレーション補正を行う場合、撮像部材ＣＣＤの感度が安定してから行っていた。すなわち、図６Ｄ、図６Ｅのグラフから読みとれるように、読み値が飽和して安定する３０分程度待ってからキャリブレーション補正を行っていた。
よって、従来の技術では、電源投入後にすぐにキャリブレーション補正ができず、３０分程度待たないと、高精度のキャリブレーション補正を行うことができず、時間がかかる問題があった。
【００４９】
図９は横軸に温度を取り縦軸にＹパッチの読み値を取った撮像素子の温度変化の説明図であり、図９Ａは実施例１の構成における温度変化の説明図、図９Ｂは従来の構成における温度変化の説明図である。
図１０は図９の個体１の実施例の構成における温度変化と、従来の構成における温度変化の説明図である。
なお、図９Ａ、図１０の測定では、加温時間ｔ１は、便宜的に５分に固定した。
【００５０】
図９、図１０において、３つのＢ色の撮像素子３（個体１、個体２、個体３）に対して、従来技術と同様の制御を行った場合と、実施例１の制御を行った場合における温度変化を確認した。従来技術のように、撮像部材を加温せず、待機電圧Ｖ２が供給され続けただけの構成では、図９Ｂや図６Ｅに示すように、温度が徐々に上昇していくが、感度が飽和する温度に到達するには、最低でも２０分程度かかった。よって、余裕、いわゆるマージンも考慮すると、従来技術のように、キャリブレーション補正を開始するまでに３０分程度待機する必要があった。
【００５１】
これに対して、実施例１のように、読取を行っていない状況でも、電源投入時や省電力状態から復帰した場合に駆動電圧Ｖ１を加温時間ｔ１の間供給した場合、５分後には、撮像素子３の感度が安定する温度までほぼ上昇した。よって、実施例１の構成では、電源投入後や省電力状態から復帰後、５分程度で、高精度のキャリブレーション補正を行うことが可能である。よって、実施例１では、キャリブレーション補正を行うまでの時間を、従来に比べて大幅に短縮することが可能である。
【００５２】
また、実施例１のスキャナ部Ｕ２では、加温時間ｔ１は、ゲイン値に基づいて設定されている。すなわち、ゲイン値は、読み値に連動して変化する値であり、撮像素子３の温度に連動する。よって、電源投入時等における撮像素子３の温度に基づいて、必要な温度に達するまでに最低限必要な加温時間ｔ１が設定される。よって、必要もないのに長期間駆動電圧Ｖ１が供給されることが抑制される。したがって、無駄な電力消費が抑制されると共に、撮像素子３の寿命が短くなることが抑制される。
さらに、実施例１のスキャナ部Ｕ２では、撮像素子３を加温する方法として、駆動電圧Ｖ１を供給している。よって、撮像素子３を加熱する方法として、熱源、ヒーターを設置したりする構成に比べて、追加の構成が必要ない。したがって、追加の費用増加が抑制されている。また、撮像素子３の動作時の駆動電圧Ｖ１の供給であり、撮像素子３にとって、無理な加熱は行われない。したがって、撮像素子３の寿命が短くなることが低減される。
【００５３】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ03）を下記に例示する。
（Ｈ01）前記実施例において、画像形成装置の一例として複写機Ｕを例示したが、これに限定されず、プリンタ、ＦＡＸ、あるいはこれら複数の機能を備えた複合機等に適用可能である。また、Ｙ，Ｍ，Ｃ，Ｋの４色の画像が形成可能な構成を提示したが、これに限定されない。３色以下や単色、５色以上の画像形成装置に適用可能である。さらに、媒体の一例として、中間転写媒体である中間転写ベルトＢを使用する構成を例示したが、これに限定されない。例えば、媒体の一例としてのシートＳに、各感光体ＰＲｙ〜ＰＲｋから直接転写する構成にも適用可能である。
【００５４】
（Ｈ02）前記実施例において、例示した具体的な数値等は、設計や仕様等に応じて任意に変更可能である。すなわち、加温時間ｔ１等は、使用する撮像素子の特性や個体差等に応じて、感度が安定するまでの時間に合わせて任意に変更可能である。また、駆動電圧や待機電圧の値も、撮像素子の仕様等に応じて任意に変更可能である。また、加温時間ｔ１は、白色基準板の読取結果に基づいて決定する構成に限定されず、例えば、読取部材ＣＣＤの温度を直接検知して、加温時間ｔ１を設定することも可能である。
（Ｈ03）前記実施例において、撮像部材ＣＣＤを加温する方法として、駆動電圧Ｖ１を供給する方法が望ましいが、これに限定されない。例えば、クロック信号等の制御信号を多く入力する構成としたり、外的な熱源を使用して加温する構成とすることも可能である。
【符号の説明】
【００５５】
１，２，３…読取素子、
１ａ，２ａ，３ａ…透過部材、
Ｃ２…加温制御手段、
Ｃ２ａ…期間の設定手段、
Ｃ３…較正処理手段、
ＣＣＤ…読取部材、
Ｇｉ…原稿、
Ｓ…媒体、
ｔ１…加温する期間、
Ｕ…画像形成装置、
Ｕ２…画像の読取装置、
Ｕｙ〜Ｕｋ＋Ｔ１＋Ｔ２＋Ｂ…画像の記録部。
【図１】
2015173348.tif 000003
【図２】
2015173348.tif 000004
【図３】
2015173348.tif 000005
【図４】
2015173348.tif 000006
【図５】
2015173348.tif 000007
【図６】
2015173348.tif 000008
【図７】
2015173348.tif 000009
【図８】
2015173348.tif 000010
【図９】
2015173348.tif 000011
【図１０】
2015173348.tif 000012